(57)【要約】      （修正有）【課題】手足に優しい自動モップ脱水装置を提供する。【解決手段】自動モップ脱水装置は、１つのモップと、１つの脱水回転バケツと、１つの水受容器と、１つの感応部品と、１つの駆動モーターと、１つの制御回路から構成される。感応部品は、モップのヘッダーにあり、制御回路と駆動モーターを導通する。脱水回転バケツの中心部に中心軸を設ける。【選択図】図２
0003155075.tif 000002
【実用新案登録請求の範囲】
【請求項１】
モップ自動脱水装置であって、その特徴は、１つのモップ、該モップのヘッダーに１つの感応部品を有し；１つの感応部品、該感応部品は受信反応部品に感応させ、制御回路と駆動モーターを導通する；１つの脱水回転バケツ、予備脱水物の受け入れとなり、該中心部に中心軸を設け、前述のモップ感応部品と相互感応作用し；１つの制御回路、感応部品より受信反応し、モーターを制御駆動する；１つのバッテリ、脱水装置の電源を供給する；１つの固定部品、中心軸に固定設置するで構成されることを特徴とするモップ自動脱水装置。
【請求項２】
モップ自動脱水装置であって、その特徴は、１つのスイッチ、該スイッチは制御回路と、駆動モーターを起動する；１つの脱水回転バケツ、予備洗浄物の受け入れとなる；１つの制御回路、該制御回路は駆動モーターを制御する；１つのバッテリ、脱水装置の電源を供給する；１つの固定部品、中心軸に固定設置するで、構成されることを特徴とするモップ自動脱水装置。
【請求項３】
前記モップに軸受けを設け、モップを上部と下部に分けて、上部は取っ手を提供し、下部は脱水回転バケツの脱水回転を従う回転自在となることを特徴とする請求項１に記載のモップ自動脱水装置。
【請求項４】
前記感応部品は磁石になりべし、制御回路の傍に磁性ばねスイッチを設け、感応部品の接近によって、中心軸に磁界を生じ、磁性ばねスイッチを導通し、制御回路導通を駆使し、駆動モーターを回転させることを特徴とする請求項１に記載のモップ自動脱水装置。
【請求項５】
前記感応部品は赤外線になりべし、制御回路の傍に受信反応部品を設け、感応部品の接近によって、受信反応を生じ、制御回路を導通し、駆動モーターを回転させることを特徴とする請求項１に記載のモップ自動脱水装置。
【請求項６】
前記固定部品は軸受けとなることを特徴とする請求項１に記載のモップ自動脱水装置。
【請求項７】
モップ自動脱水装置であって、その特徴は、１つのモップ、該モップのヘッダーに１つの感応部品を有し；１つの感応部品、該感応部品は受信反応部品に感応させ、制御回路と駆動モーターを導通する；１つの脱水回転バケツ、予備脱水物の受け入れとなり、該中心部に中心軸を設け、前述のモップ感応部品と相互感応作用し；１つの制御回路、感応部品より受信反応し、モーターを制御駆動する；１つのバッテリ、脱水装置の電源を供給する；１つの固定部品、中心軸に固定設置する；１つのスイッチ、該スイッチは制御回路と駆動モーターを起動するで、構成されることを特徴とするモップ自動脱水装置。
【考案の詳細な説明】
【技術分野】
【０００１】
この考案はモップ自動脱水装置に関し、特に感応装置とスイッチと２つの駆動方式で、遠心力の脱水効果を利用し、脱水を実行させ、モップと、脱水装置と、駆動モーターと、制御回路から構成するモップ自動脱水装置に関する。
【背景技術】
【０００２】
図１に従来のモップ脱水装置を開示する。図面によれば、脱水回転バケツ１０１は、主軸１０２と連接し、主軸１０２の下面に歯車１０４を設け、歯車１０４はねじロッド１０３と主軸１０２の連接仲介となり、足踏レバー１０５を設置し、使用者に足踏駆動を提供する。脱水の作動は、使用者は足踏レバー１０５を足踏んで、ねじロッド１０３を作動し、ねじロッド１０３は歯車１０４を連動させ、歯車１０４は主軸１０２を連動させ、主軸１０２と脱水回転バケツ１０１は相互固定作動より、脱水作動できるとなる。
【考案の開示】
【考案が解決しようとする課題】
【０００３】
前記従来のモップ脱水装置では、下記の欠点はあります。
１．足踏み駆動で、なかなか力入りので、妊婦と長者に災難まで出来事の恐れがある。
２．粗末な構造で、足に怪我を生じる場合もあり得る。
３．不良なモップ取っ手で、長期使用すれば手荒れの元にもなる。
この考案は、以上の欠陥を改善し、特に自動感応装置の駆動で、手足に優しい自動モップ脱水装置を提供することを課題とする。
【課題を解決するための手段】
【０００４】
そこで、本考案者は従来の技術に見られる欠点に鑑み鋭意研究を重ねた結果、本考案を完成させた。本考案の自動モップ脱水装置は、１つのモップと、１つの脱水回転バケツと、１つの水受容器と、１つの感応装置と、１つの駆動モーターと、１つの制御回路から構成される。
【考案の効果】
【０００５】
この考案のモップ自動脱水装置によれば、下記の効果があります：
１．足踏みが不要ので、簡易とリラックできる。
２．多機能で、モップ脱水だけに限らないこと。
３．モップに軸受けを設け、モップを上部取っ手部と下部回動部に分けて、脱水ときに、手の怪我を生じないこと。
４．使用者の年齢層の拡大ができて、産業の利用性がもっと具備する。
【実施例】
【０００６】
図２，７に、この考案の実施例によるモップ自動脱水装置の分解斜視図と断面図を開示する。図面によれば、この考案実施例によるモップ自動脱水装置は、１つの脱水回転バケツ１、脱水回転バケツ１に防水スペーサー２を設けて；１つの本体３、本体３は脱水回転バケツ１と、駆動モーター６２を連接し、本体３に起動スイッチ１２を設けて；１つの軸受け４、軸受け４は中心軸６と脱水回転バケツ１の間に設け、軸受け４外部に固定片５を有し；１つの中心軸６、中心軸６に歯車６１を設置し、駆動モーター６１と連動作動させ；１つの軸受け８、軸受け８は底部基座の上面に設け、軸受け８の外部に固定片７を有し、固定片７上に磁性ばねスイッチ７１を設けて；１つの底部基座９、底部基座９の上に制御回路９１を設け、さらに底部に１つのバッテリ１０を設け、バッテリ１０の外にバッテリ蓋を設けるで、構成されるモップ自動脱水装置。
図３に、この考案の脱水装置構造を示した上面斜視図と底面斜視図である、底面斜視図より充電孔１００を示しておる。
図４，５，６に、この考案の実施例によるモップの分解斜視図と、モップの部分分解斜視図と、モップの立体斜視図で開示する。図面によれば、この考案実施例によるモップ自動脱水装置のモップの構成は、１つのモップ本体２１、モップ本体２１に、１つの取っ手２１１と、１つの分離柄ロッド２１２と、１つの軸受け部材２２１と、１つの軸受け座２２０と、１つのモップヘッダー２１３と、１つの感応部品２１４とを設けて；軸受け部材２２１は、１つの軸受け軸と、１つの固定環２１７と、１つの軸受けと、１つの係止環２１９と、１つの軸受け座から構成され；モップヘッダー２１３上の感応部品２１４は、ねじ２１５で締め付ける。
図８はこの考案の反応装置を示した立体断面図を開示する。図面によれば、この考案実施例による反応装置は、モップヘッダーは脱水回転バケツ１の上に置いて、該モップヘッダーの感応部品（或いは磁性部品）２１４は中心軸６を感応し、さらに、中心軸６は磁性ばねスイッチ７１を感応するより、制御回路９１を導通し、駆動モーター６２を起動する、駆動モーター６２は中心軸に設けた歯車６１と連結ので、駆動モーター６２の回動より脱水回転バケツも従って回動する。これは本考案の反応装置の作動プロセスである。
図９にはこの考案の実施例のモップ対する反応で起動する説明図である。
図１０にはこの考案の実施例のスイッチで起動する説明図である。予備脱水入れ物に感応部品が備えていない場合にも、スイッチ起動で脱水作業できる。
【図面の簡単な説明】
【０００７】
【図１】従来の脱水装置構造を示した立体断面図である。
【図２】この考案の脱水装置構造を示した分解斜視図である。
【図３】この考案の脱水装置構造を示した上面斜視図と底面斜視図である。
【図４】この考案のモップの分解斜視図である。
【図５】この考案のモップの部分分解斜視図である。
【図６】この考案のモップの立体斜視図である。
【図７】この考案の脱水装置構造を示した立体断面図である。
【図８】この考案の脱水装置構造の反応仕組みを示した立体断面図である。
【図９】この考案の実施例のモップ対する反応で始動する説明図である。
【図１０】この考案の実施例のマニュアルで始動する説明図である。
【符号の説明】
【０００８】
１         脱水回転バケツ
１０１     脱水回転バケツ
１０２     主軸
１０３     ねじロッド
１０４     歯車
１０５     足踏レバー
２         防水スペーサー
３         本体
４         軸受け
５         固定片
６         中心軸
６１       歯車
６２       駆動モーター
７         固定片
７１       磁性ばねスイッチ
８         軸受け
９         底部基座
１０       バッテリ
１１       バッテリ蓋
１００     充電孔
１２       起動スイッチ
２１       モップ本体
２１１     柄取っ手
２１２     分離柄ロッド
２１３     モップヘッダー
２１４     感応部品
２１５     ねじ
２１６     軸受け軸
２１７     固定環
２１８     軸受け
２１９     係止環
２２０     軸受け座
２２１     軸受け部材
【図１】
0003155075.tif 000003
【図２】
0003155075.tif 000004
【図３】
0003155075.tif 000005
【図４】
0003155075.tif 000006
【図５】
0003155075.tif 000007
【図６】
0003155075.tif 000008
【図７】
0003155075.tif 000009
【図８】
0003155075.tif 000010
【図９】
0003155075.tif 000011
【図１０】
0003155075.tif 000012